(57)【特許請求の範囲】
【請求項１】
溝部を備えるクッションパッドと、前記クッションパッドを覆い、ヒータを有するシートカバーと、を備えるシートであって、
前記溝部には、その底側に通電可能なワイヤが配設されており、
前記シートカバーには、前記溝部に引き込まれた引込部があり、
前記引込部には、前記引込部を前記ワイヤに連結するための連結部材が取り付けられており、
前記連結部材には、前記ワイヤに連結される部位に、前記ヒータと導通している導電部材が設けられており、
前記引込部が前記連結部材を介して前記ワイヤに連結されていることにより、前記シートカバーが前記クッションパッドに係止されているとともに、前記導電部材が前記ワイヤに連結されて前記ヒータが通電可能な状態とされていることを特徴とするシート。
【請求項２】
前記連結部材は、前記ワイヤを挟み込む第１挟持部と、前記引込部を挟み込む第２挟持部と、を備え、
前記第１挟持部が前記ワイヤを挟持しているとともに、前記第２挟持部が前記引込部を挟持していることにより、前記引込部と前記ワイヤとが連結されている請求項１記載のシート。
【請求項３】
前記導電部材は、前記第１挟持部から前記第２挟持部に渡って設けられており、
前記引込部には、前記連結部材に挟持される部位に、前記ヒータと導通している引込部側導電部材が設けられており、
前記第１挟持部が前記ワイヤを挟持しているとともに、前記第２挟持部が前記引込部を挟持していることにより、前記ヒータが通電可能な状態とされている請求項２記載のシート。
【発明の詳細な説明】
【技術分野】
【０００１】
本発明は、シートに関する。更に詳しくは、シートカバーをクッションパッドに取り付ける作業と、シートカバーに備えられたヒータの電気的接続作業と、を１工程で行うことができるシートに関する。
【背景技術】
【０００２】
従来より、冬期等の寒冷時に座面を暖めて着座者の快適性を向上させるためのヒータを備えるシートが知られている。このようなシートとしては、例えば、車両、特に乗用車のシートにおいて、ヒータを有するシートカバーでクッションパッドを被覆するシートが知られている（例えば、特許文献１参照）。
【先行技術文献】
【特許文献】
【０００３】
【特許文献１】特開２０１０−２０６号公報
【発明の概要】
【発明が解決しようとする課題】
【０００４】
上記特許文献１のような従来のシートでは、クッションパッドに設けられた溝部にシートカバーの一部を引き込んでシートカバーをクッションパッドに取り付けるようにしている。具体的には、シートカバーの引込部に設けられたシートカバー側のワイヤと、溝部底側に配設されたクッションパッド側のワイヤと、をＣリング（ホグリング）等の係止部材により係止することにより、シートカバーをクッションパッドに取り付けている。一方、ヒータへの給電は、ヒータと導通するシートカバー側のワイヤから延設された配線を車体側の配線に接続するようにしている。即ち、上記特許文献１のようなシートでは、シートカバーをクッションパッドに取り付ける作業と、ヒータの電気的接続作業と、を別々に行う必要があった。
【０００５】
本発明は、上記実情に鑑みてなされたものであり、シートカバーをクッションパッドに取り付ける作業と、シートカバーに備えられたヒータの電気的接続作業と、を１工程で行うことができるシートを提供することを目的とする。
【課題を解決するための手段】
【０００６】
上記問題点を解決するために、請求項１に記載の発明は、溝部を備えるクッションパッドと、前記クッションパッドを覆い、ヒータを有するシートカバーと、を備えるシートであって、前記溝部には、その底側に通電可能なワイヤが配設されており、前記シートカバーには、前記溝部に引き込まれた引込部があり、前記引込部には、前記引込部を前記ワイヤに連結するための連結部材が取り付けられており、前記連結部材には、前記ワイヤに連結される部位に、前記ヒータと導通している導電部材が設けられており、前記引込部が前記連結部材を介して前記ワイヤに連結されていることにより、前記シートカバーが前記クッションパッドに係止されているとともに、前記導電部材が前記ワイヤに連結されて前記ヒータが通電可能な状態とされていることを要旨とする。
【０００７】
請求項２に記載の発明は、請求項１において、前記連結部材は、前記ワイヤを挟み込む第１挟持部と、前記引込部を挟み込む第２挟持部と、を備え、前記第１挟持部が前記ワイヤを挟持しているとともに、前記第２挟持部が前記引込部を挟持していることにより、前記引込部と前記ワイヤとが連結されていることを要旨とする。
【０００８】
請求項３に記載の発明は、請求項２において、前記導電部材は、前記第１挟持部から前記第２挟持部に渡って設けられており、前記引込部には、前記連結部材に挟持される部位に、前記ヒータと導通している引込部側導電部材が設けられており、前記第１挟持部が前記ワイヤを挟持しているとともに、前記第２挟持部が前記引込部を挟持していることにより、前記ヒータが通電可能な状態とされていることを要旨とする。
【発明の効果】
【０００９】
本発明のシートによると、クッションパッドの溝部には、その底側に通電可能なワイヤが配設されており、シートカバーの引込部には、ワイヤに連結するための連結部材が取り付けられており、連結部材には、ワイヤに連結される部位に、ヒータと導通している導電部材が設けられている。そして、引込部が連結部材を介してワイヤに連結されていることにより、シートカバーがクッションパッドに係止されているとともに、導電部材がワイヤに連結されてヒータが通電可能な状態とされている。このような構成により、シートカバーをクッションパッドに取り付ける作業と、シートカバーに備えられたヒータの電気的接続作業と、を１工程で行うことができる。その結果、従来のようにシートカバーを取り付ける作業とヒータの電気的接続作業とを別々に行う場合と比較して、シートの組み立て作業が容易となり、作業性が良好となる。
【００１０】
また、前記連結部材は、前記ワイヤを挟み込む第１挟持部と、前記引込部を挟み込む第２挟持部と、を備え、前記第１挟持部が前記ワイヤを挟持しているとともに、前記第２挟持部が前記引込部を挟持していることにより、前記引込部と前記ワイヤとが連結されている場合は、シートカバー側の引込部と、クッションパッド側のワイヤと、を連結部材によりそれぞれ挟持させる、という簡易な作業によりシートカバーとクッションパッドとを係止できるとともに、ヒータの電気的接続も行うことができる。その結果、シートの組み立て作業性がより良好となる。
【００１１】
更に、前記導電部材は、前記第１挟持部から前記第２挟持部に渡って設けられており、前記引込部には、前記連結部材に挟持される部位に、前記ヒータと導通している引込部側導電部材が設けられており、前記第１挟持部が前記ワイヤを挟持しているとともに、前記第２挟持部が前記引込部を挟持していることにより、前記ヒータが通電可能な状態とされている場合は、ワイヤーハーネス等の配線を用いることなく、クッションパッド側のワイヤと、シートカバー側のヒータと、を電気的に接続することができる。その結果、簡易な構成のシートとすることができ、シートの組み立て作業性がより一層良好となる。
【図面の簡単な説明】
【００１２】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】本実施例に係るシートを示す縦断面図である。
【図２】本実施例に係るシートのクッションパッドを示す一部断面斜視図である。
【図３】本実施例に係るシートのシートカバーを示す一部断面斜視図である。
【図４】本実施例に係るシートの引込部及び連結部材を説明するための説明図である。
【図５】本実施例に係るシートの作用を説明するための説明図である。
【図６】本実施例に係るシートの作用を説明するための説明図である。
【図７】本実施例に係るシートの作用を説明するための説明図である。
【図８】他の実施形態に係るシートの引込部及び連結部材を説明するための説明図である。
【図９】他の実施形態に係るシートの引込部及び連結部材を説明するための説明図である。
【図１０】他の実施形態に係るシートのシートカバーを説明するための説明図である。
【図１１】他の実施形態に係るシートのシートパッドの溝部及びワイヤを説明するための説明図である。
【図１２】他の実施形態に係るシートのシートパッドの溝部及びワイヤを説明するための説明図である。
【図１３】他の実施形態に係るシートのシートパッドの溝部及びワイヤを説明するための説明図である。
【発明を実施するための形態】
【００１３】
ここで示される事項は例示的なものおよび本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１４】
本実施形態に係るシート（１００）は、溝部（１３）を備えるクッションパッド（１）と、クッションパッドを覆い、ヒータ（Ｈ）を有するシートカバー（２）と、を備えるシートであって、溝部には、その底側に通電可能なワイヤ（３）が配設されており、シートカバーには、溝部に引き込まれた引込部（２３）があり、引込部には、引込部をワイヤに連結するための連結部材（４）が取り付けられており、連結部材には、ワイヤに連結される部位に、ヒータと導通している導電部材（４Ａ）が設けられており、引込部が連結部材を介してワイヤに連結されていることにより、シートカバーがクッションパッドに係止されているとともに、導電部材がワイヤに連結されてヒータが通電可能な状態とされていることを特徴とする（例えば、図１等参照）。
【００１５】
上記「クッションパッド」の構造、大きさ、形状、材質等は特に問わない。このクッションパッドは、通常、発泡樹脂から形成される。このクッションパッドの材質としては、例えば、熱硬化性発泡樹脂又は熱可塑性発泡樹脂であることができ、ウレタンフォーム、ＰＥフォーム、ＰＰフォーム等を挙げることができる。
【００１６】
上記クッションパッドには溝部が形成されている。この溝部の大きさ、個数、断面形状等は特に問わない。溝部の幅方向の断面形状としては、例えば、略矩形状（例えば、図２、６等参照）、略正方形状、略台形状、略Ｕ字形状等が挙げられる。また、この溝部には、例えば、その底壁から更に陥没する形態の穴部（１３Ａ）が形成されていることができる。上記穴部の大きさ、個数、断面形状等は特に問わない。
【００１７】
上記溝部には、その底側に通電可能なワイヤが配設されている。このワイヤの大きさ、材質、断面形状、通電形態、配設形態等は特に問わない。上記ワイヤは、通常、上記溝部の長さ方向に延びるように設けられている。上記ワイヤの長さ方向の形状は特に限定されないが、例えば、略直線状（例えば、図３等参照）や、クランク状、波状等に曲げられた形状（例えば、図１１、１２、１３等参照）等であることができる。上記ワイヤの配設形態としては、例えば、（ｉ）上記溝部の空間内に配設されている形態（例えば、図２、３等参照）、（ｉｉ）上記溝部の底壁に埋設されたワイヤの一部が溝部の空間に露出するように配設されている形態（例えば、図１３等参照）等であることができる。また、上記（ｉｉ）の場合、溝部の底壁に埋設されているワイヤの一部が溝部の空間に露出する形態としては、例えば、上記溝部の底壁に上記穴部が形成されており、ワイヤの一部がこの穴部において露出するように配設されている形態（例えば、図１１、１２等参照）であることができる。
【００１８】
上記「シートカバー」の構造、大きさ、形状、材質等は特に限定されない。このシートカバーは、例えば、織物、編物、皮革、合成皮革等からなることができる。また、シートカバーは、これらのうち１種又は２種以上の組合せであってもよい。
【００１９】
上記シートカバーはヒータを有している。上記ヒータは、例えば、シートカバーと一体に形成されたヒータであって、シートカバーを構成する糸の一部を、通電することにより発熱する導電糸からなるヒータ（例えば、図３、４等参照）や、シートカバーと別体に形成された面状のヒータであって、接着、縫製等によりシートカバーに取り付けられたヒータ（例えば、図１０等参照）等であることができる。
【００２０】
上記シートカバーには、上記溝部に引き込まれた引込部があり、引込部には、この引込部を上記ワイヤに連結するための連結部材が取り付けられている。
上記連結部材の構造、形状、材質、個数等は特に問わない。この連結部材は、例えば、上記ワイヤを挟み込む第１挟持部（４１）と、上記引込部を挟み込む第２挟持部（４２）と、を備えることができる。
上記連結部材には、上記ワイヤに連結される部位に、上記ヒータと導通している導電部材が設けられている。
【００２１】
上記引込部の構成、引込形態等は特に問わない。この引込部は、例えば、上記ヒータと導通している引込部側導電部材（２３Ａ）を有することができる。この引込部側導電部材は、例えば、引込部の上記連結部材に挟持される部位に設けられていることができる（例えば、図４等参照）。また、引込部側導電部材は、ヒータに直接接続されて導通していてもよいし（例えば、図４等参照）、ワイヤーハーネス等の配線を介して、間接的にヒータと導通していてもよい（例えば、図１０等参照）。
また、上記引込部は、例えば、上記引込部側導電部材に収容される引込部側ワイヤ（２３Ｂ）を更に有し、この引込部側ワイヤが上記連結部材に連結される形態であることができる（例えば、図９等参照）。
【００２２】
ここで、本実施形態に係るシートは、例えば、上記連結部材は、上記ワイヤを挟み込む第１挟持部（４１）と、上記引込部を挟み込む第２挟持部（４２）と、を備え、上記第１挟持部が上記ワイヤを挟持しているとともに、上記第２挟持部が上記引込部を挟持していることにより、上記引込部と上記ワイヤとが連結されている形態であることができる（例えば、図４、５等参照）。
【実施例】
【００２３】
以下、図面を用いて、実施例により本発明を更に具体的に説明する。なお、本実施例では、本発明に係るシートとして車両用シートを例示する。
【００２４】
（１）シートの構成
図１に示すように、車両用シート１００（以下、単にシートともいう）は、ウレタンフォームからなるクッションパッド１と、織物を縫製してなるシートカバー２と、を備えている。図２に示すように、クッションパッド１は、乗員が着座する着座部１１と、この着座部１１の両側方に設けられたサイド部１２と、を有し、着座部１１とサイド部１２との間には溝部１３が形成されている。溝部１３は、その幅方向の断面形状が略矩形状である。溝部１３の底側にはワイヤ３が配設されている。ワイヤ３は、溝部１３内の空間を、溝部１３の長さ方向に沿って直線的に配設されている。ワイヤ３は、図示しない配線により車両のＥＣＵ等に接続されている。これによりワイヤ３は通電可能とされている。
【００２５】
シートカバー２は、図３に示すように、クッションパッド１の着座部１１及びサイド部１２をそれぞれ覆う着座部カバー２１及びサイド部カバー２２を有している。着座部カバー２１及びサイド部カバー２２はそれぞれ織物であり、各端部側を合わせて縫製糸２Ａにより縫製されていることにより一体化されている。また、シートカバー２はヒータＨを有している。本実施例において、ヒータＨは、着座部カバー２１に織り込まれた導電糸であり、この導電糸は、通電することにより発熱する金属線である。
【００２６】
また、図４に示すように、シートカバー２は、着座部カバー２１とサイド部カバー２２とを縫製した部位において、クッションパッド１の溝部１３に引き込まれる引込部２３が設けられている。この引込部２３には、引込部側導電部材２３Ａが取り付けられている。引込部側導電部材２３Ａは、構成糸の一部として導電糸が用いられている導電性布帛である。この引込部側導電部材２３Ａは、引込部２３の端部を覆うように取り付けられているとともに、縫製糸２Ａにより引込部２３に縫製されている。これにより、引込部側導電部材２３Ａは、着座部カバー２１に織り込まれた導電糸であるヒータＨと導通している。
【００２７】
また、図４に示すように、引込部２３には、引込部２３とワイヤ３とを連結するための連結部材４が取り付けられている。連結部材４は、ワイヤ３を挟み込むための第１挟持部４１と、引込部２３を挟み込むための第２挟持部４２と、を備えている。第１挟持部４１は、ワイヤ３の外周面を挟み込み可能なようにクリップ状に形成されており、ワイヤ３の長さ方向のいずれの箇所も挟持可能となっている。第２挟持部４２は、引込部２３をその幅方向外側から覆うようにして挟み込み可能なようにクリップ状に形成されており、引込部２３の長さ方向のいずれの箇所も挟持可能となっている。本実施例において、第２挟持部４２は、引込部側導電部材２３Ａとともに引込部２３を挟み込むようになっている。
【００２８】
連結部材４には導電部材４Ａが設けられている。導電部材４Ａは導電性の金属からなり、連結部材４と接着されて一体化されている。この導電部材４Ａは、ワイヤ３に連結される部位としての第１挟持部４１に設けられているとともに、第１挟持部４１から第２挟持部４２に渡って設けられている。これにより、導電部材４Ａは、第１挟持部４１がワイヤ３を挟持するとともに、第２挟持部４２が引込部２３を挟持することにより、導電部材４Ａ及び引込部側導電部材２３Ａを介して、ワイヤ３とヒータＨとが導通するようになっている。
【００２９】
（２）シートの作用
次に、上記構成のシートの作用について説明する。
図５に示すように、最初に、シートカバー２の引込部２３に連結部材４を取り付ける。本実施例において、引込部２３には引込部側導電部材２３Ａが取り付けられており、この引込部側導電部材２３Ａは、着座部カバー２１のヒータ線となる導電糸と導通している。従って、連結部材４を引込部２３に取り付けることにより、連結部材４の導電部材４Ａとヒータとが導通する。
次に、図６に示すように、ワイヤ３に連結部材４を連結する。これにより、図７に示すように、シートカバー２がクッションパッド１に係止されるとともに、連結部材４の導電部材４Ａ及び引込部２３の引込部側導電部材２３Ａを介してワイヤ３とヒータとが導通し、ヒータが通電可能な状態となる。
【００３０】
（３）実施例の効果
以上より、本実施例のシート１００によると、クッションパッド１の溝部１３には、その底側に通電可能なワイヤ３が配設されており、シートカバー２の引込部２３には、ワイヤ３に連結するための連結部材４が取り付けられており、連結部材４には、ワイヤ３に連結される部位に、ヒータと導通している導電部材４Ａが設けられている。そして、引込部２３が連結部材４を介してワイヤ３に連結されていることにより、シートカバー２がクッションパッド１に係止されるとともに、導電部材４Ａがワイヤ３に連結されてヒータが通電可能な状態とされる。このような構成により、シートカバー２をクッションパッド１に取り付ける作業と、シートカバー２に備えられたヒータの電気的接続作業と、を１工程で行うことができる。その結果、従来のようにシートカバー２を取り付ける作業とヒータの電気的接続作業とを別々に行う場合と比較して、シートの組み立て作業が容易となり、作業性が良好となる。
【００３１】
また、本実施例では、連結部材４は、ワイヤ３を挟み込む第１挟持部４１と、引込部２３を挟み込む第２挟持部４２と、を備え、第１挟持部４１がワイヤ３を挟持しているとともに、第２挟持部４２が引込部２３を挟持していることにより、引込部２３とワイヤ３とが連結されているので、シートカバー２側の引込部２３と、クッションパッド１側のワイヤ３と、を連結部材４によりそれぞれ挟持させる、という簡易な作業によりシートカバー２とクッションパッド１とを係止できる。その結果、シートの組み立て作業性がより良好となる。
【００３２】
更に、本実施例では、導電部材４Ａは、第１挟持部４１から第２挟持部４２に渡って設けられており、引込部２３には、連結部材４に挟持される部位に、ヒータと導通している引込部側導電部材２３Ａが設けられており、第１挟持部４１がワイヤ３を挟持しているとともに、第２挟持部４２が引込部２３を挟持していることにより、ヒータが通電可能な状態とされているので、ワイヤーハーネス等の配線を用いることなく、クッションパッド１側のワイヤ３と、シートカバー２側のヒータＨと、を電気的に接続することができる。その結果、簡易な構成のシートとすることができ、シートの組み立て作業性がより一層良好となる。
【００３３】
また、本実施例では、連結部材４の第１挟持部４１を、ワイヤ３の外周面を挟み込み可能なようにクリップ状に形成したので、連結部材４が、ワイヤ３の長さ方向や円周方向に位置ずれした場合でも電気的接続を確保することができる。
更に、本実施例では、連結部材４の第２挟持部４２を、引込部２３をその幅方向外側から覆うようにして挟み込み可能なようにクリップ状に形成したので、連結部材４が、引込部２３の長さ方向に位置ずれした場合でも電気的接続を確保することができる。
【００３４】
なお、本発明においては、上記の具体的な実施例に示すものに限られず、目的、用途に応じて本発明の範囲内で種々変更した実施例とすることができる。即ち、上記実施例では、導電部材４Ａを第１挟持部４１から第２挟持部４２に渡って設け、第２挟持部４２が引込部２３を挟持することにより導電部材４ＡとヒータＨとを導通するようにしたが、これに限定されず、例えば、図８に示すように、連結部材４のワイヤ３に連結される部位である第１挟持部４１に導電部材４Ａを設け、この導電部材４Ａを、配線Ｗ等を介してヒータＨと導通するようにしてもよい。この場合、配線Ｗと導電部材４Ａとの接続形態は特に限定されないが、例えば、ろう接、融接等の溶接や、カシメ、コネクタ等により接続する形態であることができる。また、配線Ｗは、ヒータＨに直接接続されていてもよいし、引込部側導電部材２３Ａを介してヒータＨに接続されていてもよい。
【００３５】
また、上記実施例では、第２挟持部４２により引込部２３の引込部側導電部材２３Ａを挟持するようにしたが、これに限定されず、例えば、図９に示すように、引込部側導電部材２３Ａに収容される引込部側ワイヤ２３Ｂを更に設け、この引込部側ワイヤ２３Ｂを第２挟持部４２により挟持するようにしてもよい。図９において、引込部側導電部材２３Ａには、引込部側ワイヤ２３Ｂが露出する開口が形成されており、この開口から、連結部材４の第２挟持部４２により引込部側ワイヤ２３Ｂを挟持する。また、図９においては、引込部側導電部材２３Ａ及び引込部側ワイヤ２３Ｂを介してヒータＨと導電部材４Ａとを導通させるようにしているが、これに限定されず、導電部材４Ａは、引込部側導電部材２３Ａ及び引込部側ワイヤ２３Ｂとは導通せず、導電部材４ＡがヒータＨに直接導通するようにしてもよい。
【００３６】
更に、上記実施例では、着座部カバー２１に導電糸が織り込まれていることによりシートカバー２と一体に形成されたヒータＨとしたが、これに限定されず、例えば、図１０に示すように、シートカバーと別体に形成された面状のヒータＨとしてもよい。この場合、ヒータＨはシートカバー２に接着、縫製等により取り付けられていることができる。また、図１０において、ヒータＨは配線Ｗにより引込部側導電部材２３Ａに電気的に接続されている例を示しているが、これに限定されず、例えば、ヒータＨを連結部材４の導電部材４Ａに電気的に接続するようにして、ヒータＨと導電部材４Ａとを直接導通させるようにしてもよい。
【００３７】
更に、上記実施例では、溝部１３の空間に配設されるワイヤ３を例示したが、これに限定されず、例えば、図１１に示すように、ワイヤ３を溝部１３の底壁に埋設し、溝部１３の底壁に形成された穴部１３Ａからワイヤ３の一部が露出するようにしてもよい。また、上記実施例では、ワイヤ３の長さ方向の形状を略直線状としたが、これに限定されず、例えば、図１２及び図１３に示すように、クランク状、波状等に曲げられた形状であってもよい。
【００３８】
前述の例は単に説明を目的とするものでしかなく、本発明を限定するものと解釈されるものではない。本発明を典型的な実施形態の例を挙げて説明したが、本発明の記述および図示において使用された文言は、限定的な文言ではなく説明的および例示的なものであると理解される。ここで詳述したように、その形態において本発明の範囲または精神から逸脱することなく、添付の特許請求の範囲内で変更が可能である。ここでは、本発明の詳述に特定の構造、材料および実施例を参照したが、本発明をここにおける開示事項に限定することを意図するものではなく、むしろ、本発明は添付の特許請求の範囲内における、機能的に同等の構造、方法、使用の全てに及ぶものとする。
【００３９】
本発明は上記で詳述した実施形態に限定されず、本発明の請求項に示した範囲で様々な変形または変更が可能である。
【産業上の利用可能性】
【００４０】
本発明は、ヒータを備えるシートとして広く利用することができる。特に、乗用車、バス、トラック等の他、列車、汽車等の鉄道車両、建設車両、農業車両、産業車両などの車両用のシートに好適に利用される。
【符号の説明】
【００４１】
１；クッションパッド、１１；着座部、１２；サイド部、１３；溝部、１３Ａ；穴部、２；シートカバー、２１；着座部カバー、２２；サイド部カバー、２３；引込部、２３Ａ；引込部側導電部材、２３Ｂ；引込部側ワイヤ、２Ａ；縫製糸、３；ワイヤ、４；連結部材、４１；第１挟持部、４２；第２挟持部、４Ａ；導電部材、１００；シート、Ｗ；配線。
【図１】
0005601207.tif 000002
【図２】
0005601207.tif 000003
【図３】
0005601207.tif 000004
【図４】
0005601207.tif 000005
【図５】
0005601207.tif 000006
【図６】
0005601207.tif 000007
【図７】
0005601207.tif 000008
【図８】
0005601207.tif 000009
【図９】
0005601207.tif 000010
【図１０】
0005601207.tif 000011
【図１１】
0005601207.tif 000012
【図１２】
0005601207.tif 000013
【図１３】
0005601207.tif 000014